(57)【特許請求の範囲】
【請求項１】
通信ネットワークから通知された故障情報に基づいて故障内容を特定し、当該故障内容を警報として表示装置に通知する通信ネットワーク故障通知方法において、前記故障情報に基づいて故障通信プロトコルを特定し、通信ネットワークが採用する複数の通信プロトコル毎の情報が保持されたデータベースを用いて、前記故障通信プロトコルに関連して故障に起因する他の通信プロトコルにおける故障波及範囲を特定し、前記故障情報、故障通信プロトコル及び故障波及範囲を表示装置に通知する通信ネットワーク故障通知方法。
【請求項２】
複数の通信プロトコルを採用している通信ネットワークで、請求項１に記載の故障通知方法によって通知された故障情報を表す警報及びその故障に起因する他の通信プロトコルにおける故障波及範囲を表す警報を、故障表示画面に表示すると共に、それらの警報をそれらの警報に関連する他の表示画面に伝播させ表示することを特徴とする通信ネットワーク故障表示装置。
【発明の詳細な説明】
【０００１】
【発明の属する技術分野】
本発明は、複数の通信プロトコルを用いる通信ネットワークにおいて、当該通信ネットワークの故障通信プロトコル及び故障情報をネットワーク管理装置に通知すると共に、それらの故障情報及びその故障に起因する複数通信プロトコルにおける故障波及範囲を管理装置の画面に表示することを可能にする故障通知方法及び表示装置に関するものである。
【０００２】
【従来の技術】
従来の通信ネットワーク管理装置は、特定の通信プロトコルのみを取扱い、その通信プロトコルに関する故障箇所を含む故障情報を警報として通知及び表示していた。故障警報の表示は、当該通信プロトコルの構成表示画面及び故障情報表示画面のみであった。
【０００３】
このような従来の単一通信プロトコルの通信ネットワークにおけるネットワーク管理装置での故障情報の表示方法を図４に示す。図４において、ルータＢのインターフェース（ＩＦ）カード１０６  が故障したとする。この故障に伴い、ルータＢのＩＦカード自体の故障情報が故障警報としてＩＰネットワーク管理装置の表示画面１０１  中の故障情報表示画面１０２  に１０３  のように表示される。続いてその故障に起因する関連情報即ちルータＡのタイムアウトも故障情報表示画面１０２  に１０４  のように表示される。同時に構成表示画面１０５  にルータＢが故障箇所であること、及び、関連警報によりルータＡが故障に関連する箇所であることがカラーリング（変色表示）等で表示される。
【０００４】
このような従来の管理装置においては、複数の通信プロトコルを同時に取扱うことはできない。その管理装置で取扱わない通信プロトコル上の故障の場合、故障に起因する関連警報しか通知できず、正確な故障箇所の表示ができない。複数通信プロトコルの通信ネットワークにおけるネットワーク管理装置での故障情報の表示の例を図５に示す。この場合、ＡＴＭプロトコル上の故障に起因する関連情報即ちＩＰプロトコル上のルータＡ及びルータＢのタイムアウトがＩＰネットワーク管理装置の表示画面１１１  中の構成表示画面１１２  及び故障情報表示画面１１３  に表示されるが、ＡＴＭプロトコル上の正確な故障箇所１１４  の表示はできない。
【０００５】
また、複数の通信プロトコルの故障情報を得るためには、管理対象ネットワークが使用する通信プロトコルに対応する複数の管理装置の構成表示画面及び故障情報表示画面を相互に確認しなければならない。また、特定の通信プロトコルに対応する管理装置の操作中には他の通信プロトコルで発生した故障情報及び故障箇所の即時確認はできない。
【０００６】
複数通信プロトコルの通信ネットワークにおけるネットワーク管理装置での故障情報の表示の他の例を図６に示す。この場合、ＩＰネットワーク管理装置の表示画面１２１  では、ＡＴＭスイッチＡ１２９  の故障によるＡＴＭプロトコル上の故障警報（ＶＰディセーブル及びＡＴＭスイッチ故障）１２８  は通知されない。この故障に起因するＩＰプロトコル上の関連警報（ルータＢタイムアウト及びルータＡタイムアウト）１２４  が故障情報表示画面１２３  に表示される。構成表示画面１２２  においても、正確な故障箇所ではなく、故障に関連する箇所（ルータＡ及びルータＢ）がカラーリングで表示されるだけである。このため、故障した通信プロトコルを即時に判別できない。
【０００７】
一方、図６のＡＴＭネットワーク管理装置の表示画面１２５  には、ＡＴＭプロトコル上の故障警報（ＶＰディセーブル及びＡＴＭスイッチ故障）１２８  が故障情報表示画面１２７  に表示される。構成表示画面１２６  では、故障情報を通知したＡＴＭスイッチＡがカラーリングで表示される。しかし、他の通信プロトコル（ＩＰプロトコル）への故障波及範囲は特定できない。
【０００８】
このため、オペレータは、上記二つの管理装置を交互に確認しながら、ルータＡはＸ、ルータＢはＹというように、複数通信プロトコルのネットワーク全体の構成を把握し、故障発生通信プロトコルを特定する必要がある。
【０００９】
【発明が解決しようとする課題】
本発明の目的は、複数の通信プロトコルを用いるネットワークでの故障情報を容易に把握できる故障通知方法並びにそれらの故障情報及びその故障に起因する複数通信プロトコルにおける故障波及範囲を表示できる表示装置を提供することにある。
【００１０】
【課題を解決するための手段】
本発明の通信ネットワーク故障通知方法は、上記の目的を達成するため、通信ネットワークから通知された故障情報に基づいて故障内容を特定し、当該故障内容を警報として表示装置に通知する通信ネットワーク故障通知方法において、前記故障情報に基づいて故障通信プロトコルを特定し、通信ネットワークが採用する複数の通信プロトコル毎の情報が保持されたデータベースを用いて、前記故障通信プロトコルに関連して故障に起因する他の通信プロトコルにおける故障波及範囲を特定し、前記故障情報、故障通信プロトコル及び故障波及範囲を表示装置に通知することを特徴とする。
【００１１】
また、本発明の通信ネットワーク故障表示装置は、複数の通信プロトコルを採用している通信ネットワークで、請求項１に記載の故障通知方法によって通知された故障情報を表す警報及びその故障に起因する他の通信プロトコルにおける故障波及範囲を表す警報を、故障表示画面に表示すると共に、それらの警報をそれらの警報に関連する他の表示画面に伝播させ表示することを特徴とする。
【００１２】
このような本発明によれば、或る一つの通信プロトコルにおける故障箇所及び故障警報だけでなく、その故障に起因する複数の通信プロトコルにおける故障波及範囲を通知してこれを表示することが可能になる。更に、複数の通信プロトコルを同時に取扱うことにより、複数の管理装置の故障情報表示画面及び構成表示画面を相互に確認する必要がなくなる。
【００１３】
また、或る一つの通信プロトコルの表示画面操作中に他の通信プロトコルで故障が発生したとしても、通信プロトコル毎の複数のデータベースと、レイヤ間連携管理部によるデータ間の関連付けにより、その故障に起因する故障波及範囲を特定し、表示させることにより、他の通信プロトコルに関する表示画面操作中でもその故障に対応する故障波及範囲を操作中画面で即時に確認することが可能である。
【００１４】
【発明の実施の形態】
次に、図面を用いて本発明の実施例を説明する。
実施例として、ＩＰｏｖｅｒＡＴＭ（ＩＰＯＡ）における故障情報の表示及びその故障に起因する関連警報及び故障に関連する箇所の表示の例を示す。
【００１５】
図１は本発明を適用するネットワーク管理装置の構成を示す図、図２は処理のフローを表すフロー図、図３は故障情報及び故障波及範囲を表示する例を示す図である。図中、１は通信プロトコル毎の情報を保持するデータベース、２は各レイヤ毎の個別管理部、３はレイヤ間連携管理部、４は構成表示及び故障情報表示部、１１はネットワーク管理装置の表示画面、１２はＩＰネットワークの構成表示画面、１３はＡＴＭネットワークの構成表示画面、１４は故障情報表示画面、１８は故障箇所である。
【００１６】
故障が発生すると（ステップ２１）先ず故障通信プロトコルを特定し（ステップ２２）、故障箇所１８を特定する（ステップ２３）。この例では、ＡＴＭスイッチＡが故障したものとする。次に、レイヤ間連携管理部３で他の通信プロトコルとの関連の有無を判断する（ステップ２４）。関連がないと判断される場合は、故障警報を故障情報表示画面１４に表示し（ステップ２８）、故障箇所をＡＴＭネットワークの構成表示画面１３に表示する（ステップ２９）。
【００１７】
他の通信プロトコルに関連があると判断される場合は、関連する通信プロトコルのデータを各通信プロトコルのデータベース１から取得し（ステップ２５）、レイヤ間連携管理部３で影響を受ける他の通信プロトコルを判断し、故障警報及び影響を受ける他の通信プロトコルの関連警報を故障情報表示画面１４に１５で示すように表示し（ステップ２６）、故障箇所であるＡＴＭスイッチＡをＡＴＭネットワークの構成表示画面１３にカラーリング等によって表示し、影響を受ける故障波及範囲であるルータＡ、ルータＢ及びルータＡとルータＢとの間のリンクをＩＰネットワークの構成表示画面１２にカラーリング等によって表示する（ステップ２７）。このように、本発明によるネットワーク管理装置のみで複数の通信プロトコルへの故障波及範囲を特定でき、実際の故障箇所を容易に把握することができる。
【００１８】
なお、上記の実施例においてはＩＰＯＡネットワークの場合について説明したが、本発明はこれに限定されるものではない。また、図１に示したように、通信プロトコル毎にデータベースを保持するため、使用する通信プロトコルの種類が異なるネットワークにおいても、必要な通信プロトコルに対応するデータベースを具え、それら複数の通信プロトコル毎のデータを関連付けるレイヤ間連携管理部を設けることにより、本発明を適用することができる。
【００１９】
【発明の効果】
以上説明したように、本発明においては、ＩＰＯＡ等の複数の通信プロトコルを用いるネットワークにおける一つの通信プロトコル上の故障箇所の故障情報及びその故障に起因する複数の通信プロトコル上の故障波及範囲を容易に把握できるという利点がある。また、或る一つの通信プロトコルの故障に起因する他の通信プロトコルへの影響を故障波及範囲として表示することができるため、ネットワーク管理装置において、各通信プロトコルに関する表示画面でも、一つの通信プロトコルの故障に起因し影響を受ける全ての通信プロトコルのネットワーク構成表示画面、故障情報表示画面等で故障波及範囲を表示し、即時に把握できるという利点がある。
【図面の簡単な説明】
【図１】本発明を適用するネットワーク管理装置の構成を示す図である。
【図２】処理のフローを表すフロー図である。
【図３】故障情報及び故障波及範囲を表示する例を示す図である
【図４】従来のネットワーク管理装置で故障情報を表示する方法の例を示す図である。
【図５】複数通信プロトコルを用いる場合の従来のネットワーク管理装置での故障情報を表示する方法の例を示す図である。
【図６】複数通信プロトコルを用いる場合の従来のネットワーク管理装置での故障情報を表示する方法の他の例を示す図である。
【符号の説明】
１  データベース
２  個別管理部
３  レイヤ間連携管理部
４  構成表示及び故障情報表示部
１１  ネットワーク管理装置の表示画面
１２  ＩＰネットワークの構成表示画面
１３  ＡＴＭネットワークの構成表示画面
１４  故障情報表示画面
１６  故障箇所
１０１  従来のＩＰネットワーク管理装置の表示画面
１０２  故障情報表示画面
１０５  構成表示画面
１０６  インターフェースカード
１１１  従来のＩＰネットワーク管理装置の表示画面
１１２  構成表示画面
１１３  故障情報表示画面
１１４  故障箇所
１２１  ＩＰネットワーク管理装置の表示画面
１２２  構成表示画面
１２３  故障情報表示画面
１２４  ＩＰプロトコル上の関連警報
１２５  ＡＴＭネットワーク管理装置の表示画面
１２６  構成表示画面
１２７  故障情報表示画面
１２８  ＡＴＭプロトコル上の故障警報
１２９  故障箇所（ＡＴＭスイッチＡ）
【図１】
0003561634.tif 000002
【図２】
0003561634.tif 000003
【図３】
0003561634.tif 000004
【図４】
0003561634.tif 000005
【図５】
0003561634.tif 000006
【図６】
0003561634.tif 000007